(57)【要約】      （修正有） 【課題】身体部位に巻き付ける被包部材に天然放射性鉱物含有樹脂製可撓性シート、遠赤外線放射性繊維層を備えた内部構成物を備え、放射線、遠赤外線、マイナスイオンにより治療効果を高める身体部位温熱治療具を提供する。【解決手段】ヒーター線１１を収納した布帛製のヒーター部材１０と、該ヒーター部材１０上に配置された天然放射性鉱物含有樹脂製可撓性シート１２と、天然放射性鉱物含有樹脂製可撓性シート１２が配置されたヒーター部材１０の一方の面側および／またはヒーター部材１０の他方の面側に設けられた遠赤外線放射性繊維層１３、１３とを備えた内部構成物と、該内部構成物を被包し、身体部位に巻き付け可能とする帯状部を有する被包部材１とを備える。【選択図】図２
0003165442.tif 000002
【実用新案登録請求の範囲】
【請求項１】
所定長のヒーター線を蛇行するように内部に収納した布帛製のヒーター部材と、前記ヒーター部材上に配置された天然放射性鉱物含有樹脂製可撓性シートと、前記天然放射性鉱物含有樹脂製可撓性シートが配置された前記ヒーター部材の一方の面側および／または前記ヒーター部材の他方の面側に設けられた遠赤外線放射性繊維層とを備えた内部構成物と、前記内部構成物を被包し、かつ、身体部位に巻き付け可能とする帯状部を有する被包部材とを備えることを特徴とする身体部位温熱治療具。
【請求項２】
前記遠赤外線放射性繊維層は、前記天然放射性鉱物含有樹脂製可撓性シートを覆うとともに、前記天然放射性鉱物含有樹脂製可撓性シートが覆わない部分の前記ヒーター部材の前記一方の面側を覆うように設けられている請求項１に記載の身体部位温熱治療具。
【請求項３】
前記遠赤外線放射性繊維層は、前記天然放射性鉱物含有樹脂製可撓性シートが配置された前記ヒーター部材の前記一方の面側および前記ヒーター部材の他方の面側に設けられ、前記ヒーター部材のほぼ全体を被包している請求項１に記載の身体部位温熱治療具。
【請求項４】
前記天然放射性鉱物含有樹脂製可撓性シートは、天然放射性鉱物もしくは天然放射性鉱物含有セラミックスの粉末を含有する熱可塑性軟質樹脂により形成された可撓性シートであり、かつ、前記天然放射性鉱物含有樹脂製可撓性シートは、前記ヒーター部材の前記一方の面に貼着されている請求項１ないし３のいずれかに記載の身体部位温熱治療具。
【請求項５】
前記身体部位温熱治療具は、複数の前記天然放射性鉱物含有樹脂製可撓性シートを備え、かつ、複数の前記天然放射性鉱物含有樹脂製可撓性シートは、所定長離間するように、前記ヒーター部材の前記一方の面に貼着されている請求項１ないし４のいずれかに記載の身体部位温熱治療具。
【請求項６】
前記天然放射性鉱物含有樹脂製可撓性シートは、前記ヒーター部材の前記一方の面を部分的に覆うように、前記ヒーター部材の前記一方の面に貼着されており、かつ、前記身体部位温熱治療具は、前記ヒーター部材の前記一方の面に可撓性シート不存在部を有しており、前記ヒーター部材の前記一方の面の前記可撓性シート不存在部は、前記遠赤外線放射性繊維層により覆われている請求項１ないし５のいずれかに記載の身体部位温熱治療具。
【請求項７】
前記被包部材は、身体部位に巻き付け可能な長さを有するシート部材からなり、該シート部材は、一面側シート部と、他面側シート部とを備え、前記一面側シート部の表面の一端部に面ファスナー部を備え、前記他面側シート部は、前記面ファスナー部のフック要素を係止できる起毛状の生地素材よりなるものである請求項１ないし６のいずれかに記載の身体部位温熱治療具。
【請求項８】
前記被包部材は、身体部位に巻き付け可能な長さを有するシート部材からなり、該シート部材は、一面側シート部と、他面側シート部とを備え、前記一面側シート部の表面の一端部に面ファスナー部を備え、前記他面側シート部は、前記面ファスナー部のフック要素を係止できる起毛状の生地素材よりなるものであり、さらに、前記温熱治療具は、前記被包部材に連結可能な帯状連結部材を備えており、前記帯状連結部材は、一面側シート部と、他面側シート部とを備え、前記一面側シート部の表面の一端部に、前記被包部材の前記起毛状の生地素材を係止可能な面ファスナー部を備え、前記他面側シート部は、前記被包部材の前記面ファスナー部のフック要素を係止できる起毛状の生地素材よりなるものである請求項１ないし７のいずれかに記載の身体部位温熱治療具。
【請求項９】
前記身体部位温熱治療具は、前記ヒーター部材に配置された温度検知部を備え、前記温度検知部により検知された温度検知信号を用いて、前記ヒーター線に供給される電力を制御するものである請求項１ないし８のいずれかに記載の身体部位温熱治療具。
【請求項１０】
前記身体部位温熱治療具は、過剰加熱防止部を備え、前記身体部位温熱治療具は、前記過剰加熱防止部を用いて、前記ヒーター線に供給される電力の制御を行い、過剰加熱を防止するものである請求項１ないし９のいずれかに記載の身体部位温熱治療具。
【請求項１１】
前記過剰加熱防止部は、前記ヒーター部材と前記天然放射性鉱物含有樹脂製可撓性シート間に配置され、かつ、前記天然放射性鉱物含有樹脂製可撓性シートは、前記ヒーター部材の前記一方の面を部分的に覆うように、かつ前記過剰加熱防止部の上面を覆うように、前記ヒーター部材の前記一方の面に貼着されており、前記過剰加熱防止部を前記ヒーター部材に固定しているものである請求項１０に記載の身体部位温熱治療具。
【請求項１２】
前記身体部位温熱治療具は、前記被包部材に固定されたコネクタ本体と、前記コネクタ本体に設けられかつ前記ヒーター線と接続された端子とを備えるコネクタを備えている請求項１ないし１１のいずれかに記載の身体部位温熱治療具。
【請求項１３】
前記身体部位温熱治療具は、前記被包部材に固定されたコネクタ本体と、前記コネクタ本体に設けられかつ前記ヒーター線と接続された端子とを備えるコネクタを備え、前記身体部位温熱治療具は、前記ヒーター線に電力を供給するとともに供給電力を制御可能なコントローラを備え、前記コントローラは、前記コネクタと着脱自在に接続可能な、コントローラ側接続部を備えている請求項１ないし１２のいずれかに記載の身体部位温熱治療具。
【請求項１４】
前記身体部位温熱治療具は、温度検知部を備え、前記身体部位温熱治療具は、前記ヒーター線に電力を供給するとともに供給電力を制御可能なコントローラを備え、前記コントローラは、前記温度検知部により検知された温度検知信号を用いて、前記ヒーター線に供給される電力を制御するものである請求項１ないし１３のいずれかに記載の身体部位温熱治療具。
【請求項１５】
所定長のヒーター線を蛇行するように内部に収納した布帛製のヒーター部材と、前記ヒーター部材上に配置された天然放射性鉱物含有樹脂製可撓性シートと、前記天然放射性鉱物含有樹脂製可撓性シートが配置された前記ヒーター部材の前記一方の面側および／または前記ヒーター部材の他方の面側に設けられた遠赤外線放射性繊維層とを備えた内部構成物と、前記内部構成物を被包し、かつ、身体部位に巻き付け可能とする帯状部を有する被包部材とを備える身体部位温熱治療具であって、さらに、前記身体部位温熱治療具は、前記ヒーター部材と前記天然放射性鉱物含有樹脂製可撓性シート間に配置された過剰加熱防止部を備え、該過剰加熱防止部を用いて、前記ヒーター線に供給される電力の制御を行い、過剰加熱を防止するものであり、かつ、前記天然放射性鉱物含有樹脂製可撓性シートは、前記ヒーター部材の前記一方の面を部分的に覆うように、かつ前記過剰加熱防止部の上面を覆うように、前記ヒーター部材の前記一方の面に貼着されており、前記過剰加熱防止部を前記ヒーター部材に固定しており、さらに、前記身体部位温熱治療具は、前記ヒーター部材の前記一方の面に可撓性シート不存在部を有し、かつ、前記ヒーター部材の前記一方の面の前記可撓性シート不存在部は、前記遠赤外線放射性繊維層により覆われていることを特徴とする身体部位温熱治療具。
【請求項１６】
前記遠赤外線放射性繊維層は、前記天然放射性鉱物含有樹脂製可撓性シートが配置された前記ヒーター部材の前記一方の面側および前記ヒーター部材の前記他方の面側に設けられ、前記ヒーター部材のほぼ全体を被包している請求項１５に記載の身体部位温熱治療具。
【請求項１７】
前記天然放射性鉱物含有樹脂製可撓性シートは、天然放射性鉱物もしくは天然放射性鉱物含有セラミックスの粉末を含有する熱可塑性軟質樹脂により形成された可撓性シートである請求項１５または１６に記載の身体部位温熱治療具。
【請求項１８】
前記被包部材は、身体部位に巻き付け可能な長さを有するシート部材からなり、該シート部材は、一面側シート部と、他面側シート部とを備え、前記一面側シート部の表面の一端部に面ファスナー部を備え、前記他面側シート部は、前記面ファスナー部のフック要素を係止できる起毛状の生地素材よりなるものであり、さらに、前記温熱治療具は、前記被包部材に連結可能な帯状連結部材を備えており、前記帯状連結部材は、一面側シート部と、他面側シート部とを備え、前記一面側シート部の表面の一端部に、前記被包部材の前記起毛状の生地素材を係止可能な面ファスナー部を備え、前記他面側シート部は、前記被包部材の前記面ファスナー部のフック要素を係止できる起毛状の生地素材よりなるものである請求項１５ないし１７のいずれかに記載の身体部位温熱治療具。
【請求項１９】
前記身体部位温熱治療具は、温度検知部を備え、前記身体部位温熱治療具は、前記ヒーター線に電力を供給するとともに供給電力を制御可能なコントローラを備え、前記コントローラは、前記温度検知部により検知された温度検知信号を用いて、前記ヒーター線に供給される電力を制御するものである請求項１５ないし１８のいずれかに記載の身体部位温熱治療具。
【請求項２０】
前記身体部位温熱治療具は、前記被包部材に固定されたコネクタ本体と、前記コネクタ本体に設けられかつ前記ヒーター線と接続された端子とを備えるコネクタを備え、前記身体部位温熱治療具は、前記ヒーター線に電力を供給するとともに供給電力を制御可能なコントローラを備え、前記コントローラは、前記コネクタと着脱自在に接続可能な、コントローラ側接続部を備えている請求項１５ないし１９のいずれかに記載の身体部位温熱治療具。
【考案の詳細な説明】
【技術分野】
【０００１】
この考案は、膝、腰等身体部位に巻き付け可能な身体部位温熱治療具に関する。
【背景技術】
【０００２】
従来、この種の赤外線治療器として、特開平１０−５３５６号公報（特許文献１）に示すような、赤外線を放射可能な板状放射面を有するヒーター本体と、少なくとも１つのヒーター本体を生体の体表に保持しかつそれ自体生体に対し着脱可能である装着手段を備え、装着手段によりヒーター本体を生体の体表に装着したときに、放射面に対面する体表の温度が生体の体温を超えた適温になるようにヒーター本体の出力を制御可能な出力制御手段を具備する赤外線治療器がある。
また、特開２０００−１７５９５２号公報（特許文献２）には、低電圧の電池で発熱する２０〜１００オーム／ｍの柔軟性のある絶縁被覆したワイヤーヒーターをリング状にして布に包み、サポーターなどに装着して身体部位への密着性を高め、特に膝や肘等の関節の部位に密着させることができ、且つ、電池を電源とした携帯用であることを特徴とする電池式温熱治療器が、提案されている。
さらに、膝、腕、腰等身体部位に巻き付けるものではなく、全身の温熱治療具であるが、実用新案登録第３１２４２５０号公報（特許文献３）には、人が横臥可能な大きさを有するハニカム状シート２と、該シート２上に分散して配置された複数個の天然放射性鉱物含有セラミックプレート３と、前記ハニカム状シートの下面に設けられ、通電により発熱する加熱手段４とを備える内部構成物Ｂと、該内部構成物Ｂを被包するカバー５とを備える温熱治療用マットも提案されている。
【先行技術文献】
【特許文献】
【０００３】
【特許文献１】特開平１０−５３５６号公報
【特許文献２】特開２０００−１７５９５２号公報
【特許文献３】実用新案登録第３１２４２５０号公報
【考案の概要】
【考案が解決しようとする課題】
【０００４】
特許文献１の赤外線治療器は、膝、腰に装着してヒーター本体の赤外線の放射で放射面に対面する体表の温度が生体の体温を超えた適温に保って治療できるが、赤外線の放射だけで身体の体表面を温めるだけであり、また、特許文献２の電池式温熱治療器は、ワイヤーヒーターをリング状にして布に包み、サポーターなどに装着して身体部位へ密着させ、温熱効果による治療を行うものであるが、リング状ワイヤーヒーターで膝の回りを加熱するだけであるから、これも膝の表面を温めるにすぎず、十分な治療効果が期待できないという問題がある。また、特許文献３の温熱治療用マットは、ハニカム状シート２上に複数個の天然放射性鉱物含有セラミックプレート３を備えたもので、膝、腕等に巻き付けて温熱治療するものではない。
本願の考案者は、膝、腕等身体部位に巻き付けることを可能とし、微量放射線、遠赤外線等により身体部位の深部まで治療することができる身体部位温熱治療具を考案した。
この考案は、前記の問題点を解消するために、膝、腕、腰等身体部位に巻き付けて、ヒーター部材の加熱により天然放射性鉱物含有樹脂製可撓性シート、遠赤外線放射性繊維層から微量放射線、遠赤外線等を発生させて高い治療効果が期待できる身体部位温熱治療具を提供することを目的とする。
【課題を解決するための手段】
【０００５】
この考案の身体部位温熱治療具および温熱治療具は、以下のものである。
（１）  所定長のヒーター線を蛇行するように内部に収納した布帛製のヒーター部材と、前記ヒーター部材上に配置された天然放射性鉱物含有樹脂製可撓性シートと、前記天然放射性鉱物含有樹脂製可撓性シートが配置された前記ヒーター部材の一方の面側および／または前記ヒーター部材の他方の面側に設けられた遠赤外線放射性繊維層とを備えた内部構成物と、前記内部構成物を被包し、かつ、身体部位に巻き付け可能とする帯状部を有する被包部材とを備えることを特徴とする身体部位温熱治療具。
【０００６】
（２）  前記遠赤外線放射性繊維層は、前記天然放射性鉱物含有樹脂製可撓性シートを覆うとともに、前記天然放射性鉱物含有樹脂製可撓性シートが覆わない部分の前記ヒーター部材の前記一方の面側を覆うように設けられている前記（１）に記載の身体部位温熱治療具。
（３）  前記遠赤外線放射性繊維層は、前記天然放射性鉱物含有樹脂製可撓性シートが配置された前記ヒーター部材の前記一方の面側および前記ヒーター部材の他方の面側に設けられ、前記ヒーター部材のほぼ全体を被包している前記（１）に記載の身体部位温熱治療具。
【０００７】
（４）  前記天然放射性鉱物含有樹脂製可撓性シートは、天然放射性鉱物もしくは天然放射性鉱物含有セラミックスの粉末を含有する熱可塑性軟質樹脂により形成された可撓性シートであり、かつ、前記天然放射性鉱物含有樹脂製可撓性シートは、前記ヒーター部材の前記一方の面に貼着されている前記（１）ないし前記（３）のいずれかに記載の身体部位温熱治療具。
（５）  前記身体部位温熱治療具は、複数の前記天然放射性鉱物含有樹脂製可撓性シートを備え、かつ、複数の前記天然放射性鉱物含有樹脂製可撓性シートは、所定長離間するように、前記ヒーター部材の前記一方の面に貼着されている前記（１）ないし前記（４）のいずれかに記載の身体部位温熱治療具。
（６）  前記天然放射性鉱物含有樹脂製可撓性シートは、前記ヒーター部材の前記一方の面を部分的に覆うように、前記ヒーター部材の前記一方の面に貼着されており、かつ、前記身体部位温熱治療具は、前記ヒーター部材の前記一方の面に可撓性シート不存在部を有しており、前記ヒーター部材の前記一方の面の前記可撓性シート不存在部は、前記遠赤外線放射性繊維層により覆われている前記（１）ないし前記（５）のいずれかに記載の身体部位温熱治療具。
【０００８】
（７）  前記被包部材は、身体部位に巻き付け可能な長さを有するシート部材からなり、該シート部材は、一面側シート部と、他面側シート部とを備え、前記一面側シート部の表面の一端部に面ファスナー部を備え、前記他面側シート部は、前記面ファスナー部のフック要素を係止できる起毛状の生地素材よりなるものである前記（１）ないし前記（６）のいずれかに記載の身体部位温熱治療具。
（８）  前記被包部材は、身体部位に巻き付け可能な長さを有するシート部材からなり、該シート部材は、一面側シート部と、他面側シート部とを備え、前記一面側シート部の表面の一端部に面ファスナー部を備え、前記他面側シート部は、前記面ファスナー部のフック要素を係止できる起毛状の生地素材よりなるものであり、さらに、前記温熱治療具は、前記被包部材に連結可能な帯状連結部材を備えており、前記帯状連結部材は、一面側シート部と、他面側シート部とを備え、前記一面側シート部の表面の一端部に、前記被包部材の前記起毛状の生地素材を係止可能な面ファスナー部を備え、前記他面側シート部は、前記被包部材の前記面ファスナー部のフック要素を係止できる起毛状の生地素材よりなるものである前記（１）ないし前記（７）のいずれかに記載の身体部位温熱治療具。
【０００９】
（９）  前記身体部位温熱治療具は、前記ヒーター部材に配置された温度検知部を備え、前記温度検知部により検知された温度検知信号を用いて、前記ヒーター線に供給される電力を制御するものである前記（１）ないし前記（８）のいずれかに記載の身体部位温熱治療具。
（１０）  前記身体部位温熱治療具は、過剰加熱防止部を備え、前記身体部位温熱治療具は、前記過剰加熱防止部を用いて、前記ヒーター線に供給される電力の制御を行い、過剰加熱を防止するものである前記（１）ないし前記（９）のいずれかに記載の身体部位温熱治療具。
（１１）  前記過剰加熱防止部は、前記ヒーター部材と前記天然放射性鉱物含有樹脂製可撓性シート間に配置され、かつ、前記天然放射性鉱物含有樹脂製可撓性シートは、前記ヒーター部材の前記一方の面を部分的に覆うように、かつ前記過剰加熱防止部の上面を覆うように、前記ヒーター部材の前記一方の面に貼着されており、前記過剰加熱防止部を前記ヒーター部材に固定しているものである前記（１０）に記載の身体部位温熱治療具。
【００１０】
（１２）  前記身体部位温熱治療具は、前記被包部材に固定されたコネクタ本体と、前記コネクタ本体に設けられかつ前記ヒーター線と接続された端子とを備えるコネクタを備えている前記（１）ないし前記（１１）のいずれかに記載の身体部位温熱治療具。
（１３）  前記身体部位温熱治療具は、前記被包部材に固定されたコネクタ本体と、前記コネクタ本体に設けられかつ前記ヒーター線と接続された端子とを備えるコネクタを備え、前記身体部位温熱治療具は、前記ヒーター線に電力を供給するとともに供給電力を制御可能なコントローラを備え、前記コントローラは、前記コネクタと着脱自在に接続可能な、コントローラ側接続部を備えている前記（１）ないし前記（１２）のいずれかに記載の身体部位温熱治療具。
（１４）  前記身体部位温熱治療具は、温度検知部を備え、前記身体部位温熱治療具は、前記ヒーター線に電力を供給するとともに供給電力を制御可能なコントローラを備え、前記コントローラは、前記温度検知部により検知された温度検知信号を用いて、前記ヒーター線に供給される電力を制御するものである前記（１）ないし前記（１３）のいずれかに記載の身体部位温熱治療具。
【００１１】
（１５）  所定長のヒーター線を蛇行するように内部に収納した布帛製のヒーター部材と、前記ヒーター部材上に配置された天然放射性鉱物含有樹脂製可撓性シートと、前記天然放射性鉱物含有樹脂製可撓性シートが配置された前記ヒーター部材の前記一方の面側および／または前記ヒーター部材の他方の面側に設けられた遠赤外線放射性繊維層とを備えた内部構成物と、前記内部構成物を被包し、かつ、身体部位に巻き付け可能とする帯状部を有する被包部材とを備える身体部位温熱治療具であって、さらに、前記身体部位温熱治療具は、前記ヒーター部材と前記天然放射性鉱物含有樹脂製可撓性シート間に配置された過剰加熱防止部を備え、該過剰加熱防止部を用いて、前記ヒーター線に供給される電力の制御を行い、過剰加熱を防止するものであり、かつ、前記天然放射性鉱物含有樹脂製可撓性シートは、前記ヒーター部材の前記一方の面を部分的に覆うように、かつ前記過剰加熱防止部の上面を覆うように、前記ヒーター部材の前記一方の面に貼着されており、前記過剰加熱防止部を前記ヒーター部材に固定しており、さらに、前記身体部位温熱治療具は、前記ヒーター部材の前記一方の面に可撓性シート不存在部を有し、かつ、前記ヒーター部材の前記一方の面の前記可撓性シート不存在部は、前記遠赤外線放射性繊維層により覆われていることを特徴とする身体部位温熱治療具。
【００１２】
（１６）  前記遠赤外線放射性繊維層は、前記天然放射性鉱物含有樹脂製可撓性シートが配置された前記ヒーター部材の前記一方の面側および前記ヒーター部材の前記他方の面側に設けられ、前記ヒーター部材のほぼ全体を被包している前記（１５）に記載の身体部位温熱治療具。
（１７）  前記天然放射性鉱物含有樹脂製可撓性シートは、天然放射性鉱物もしくは天然放射性鉱物含有セラミックスの粉末を含有する熱可塑性軟質樹脂により形成された可撓性シートである前記（１５）または前記（１６）に記載の身体部位温熱治療具。
（１８）  前記被包部材は、身体部位に巻き付け可能な長さを有するシート部材からなり、該シート部材は、一面側シート部と、他面側シート部とを備え、前記一面側シート部の表面の一端部に面ファスナー部を備え、前記他面側シート部は、前記面ファスナー部のフック要素を係止できる起毛状の生地素材よりなるものであり、さらに、前記温熱治療具は、前記被包部材に連結可能な帯状連結部材を備えており、前記帯状連結部材は、一面側シート部と、他面側シート部とを備え、前記一面側シート部の表面の一端部に、前記被包部材の前記起毛状の生地素材を係止可能な面ファスナー部を備え、前記他面側シート部は、前記被包部材の前記面ファスナー部のフック要素を係止できる起毛状の生地素材よりなるものである前記（１５）ないし前記（１７）のいずれかに記載の身体部位温熱治療具。
【００１３】
（１９）  前記身体部位温熱治療具は、温度検知部を備え、前記身体部位温熱治療具は、前記ヒーター線に電力を供給するとともに供給電力を制御可能なコントローラを備え、前記コントローラは、前記温度検知部により検知された温度検知信号を用いて、前記ヒーター線に供給される電力を制御するものである前記（１５）ないし前記（１８）のいずれかに記載の身体部位温熱治療具。
（２０）  前記身体部位温熱治療具は、前記被包部材に固定されたコネクタ本体と、前記コネクタ本体に設けられかつ前記ヒーター線と接続された端子とを備えるコネクタを備え、前記身体部位温熱治療具は、前記ヒーター線に電力を供給するとともに供給電力を制御可能なコントローラを備え、前記コントローラは、前記コネクタと着脱自在に接続可能な、コントローラ側接続部を備えている前記（１５）ないし前記（１９）のいずれかに記載の身体部位温熱治療具。
【考案の効果】
【００１４】
この考案の身体部位温熱治療具によれば、布帛製のヒーター部材上に配置された天然放射性鉱物含有樹脂製可撓性シートと、天然放射性鉱物含有樹脂製可撓性シートが配置されたヒーター部材の一方の面側および／またはヒーター部材の他方の面側に設けられた遠赤外線放射性繊維層とを備えた内部構成物を被包した帯状部を有する被包部材を備えている。特に、天然放射性鉱物含有樹脂製可撓性シートを用いているため、天然放射性鉱物に起因する微量放射線放射部を膝、腕、腰等の身体部位に良好に密着させることができ、治療対象部位に良好に、微量放射線、遠赤外線等を付与することができる。
【００１５】
遠赤外線放射性繊維層は、天然放射性鉱物含有樹脂製可撓性シートを覆うとともに、天然放射性鉱物含有樹脂製可撓性シートが覆わない部分のヒーター部材の一方の面側を覆っているので、遠赤外線の発生が確実かつ良好なものとなる。
遠赤外線放射性繊維層は、天然放射性鉱物含有樹脂製可撓性シートが配置されたヒーター部材の一方の面側およびヒーター部材の他方の面側に設けられ、ヒーター部材のほぼ全体を被包しているので、身体部位温熱治療具に良好な保温性を付与し、消費電力を抑制することができる。
【００１６】
天然放射性鉱物含有樹脂製可撓性シートは、天然放射性鉱物もしくは天然放射性鉱物含有セラミックスの粉末を含有する熱可塑性軟質樹脂により形成された可撓性シートであり、天然放射性鉱物含有樹脂製可撓性シートは、ヒーター部材の一方の面に貼着されているので、膝、腕等身体部位の回りに沿って折り曲げでき、ヒーター部材の加熱により天然放射性鉱物含有樹脂製可撓性シートから低線量の放射線による緩やかな刺激の効果、遠赤外線で身体の深部からぽかぽかの効果、森林浴のようなマイナスイオンの発生による効果で、身体部位をじっくり暖めることができ、微量放射線、遠赤外線、マイナスイオン等により高い治療効果が期待できる。
【００１７】
この考案の身体部位温熱治療具は、複数の天然放射性鉱物含有樹脂製可撓性シートを備え、かつ、複数の天然放射性鉱物含有樹脂製可撓性シートは、所定長離間するように、ヒーター部材の上面に貼着されているので、天然放射性鉱物含有樹脂製可撓性シートが離間する部分は折り曲げやすく、膝、腕等身体部位の回りにぴったりと巻き付けできる。
身体部位温熱治療具には、複数の天然放射性鉱物含有樹脂製可撓性シートが所定長離間するように備えられているので、膝、腕等の身体部位の両側等に当てて温熱治療ができる。  
天然放射性鉱物含有樹脂製可撓性シートは、ヒーター部材の一方の面を部分的に覆うように、ヒーター部材の一方の面に貼着されており、身体部位温熱治療具は、ヒーター部材の一方の面に可撓性シート不存在部を有しており、かつ、ヒーター部材の一方の面の可撓性シート不存在部は、遠赤外線放射性繊維層により覆われているので、天然放射性鉱物含有樹脂製可撓性シートは可撓性があり、かつ可撓性シート不存在部は折り曲げやすく、膝、腕等身体部位の回りにぴったりと巻き付け温熱治療ができる。
【００１８】
被包部材は、身体部位に巻き付け可能な長さを有するシート部材からなり、該シート部材は、一面側シート部と、他面側シート部とを備え、一面側シート部の表面の一端部に面ファスナー部を備え、他面側シート部は、面ファスナー部のフック要素を係止できる起毛状の生地素材よりなるものであるから、膝、腕等の身体部位に巻き付けて面ファスナー部を他面側シート部に簡単に係止できる。膝、腕等身体部位に身体部位温熱治療具を当てて一側のシート部を被包部材の表地に重ねて面ファスナーで止めて装着し、ヒーター部材の加熱により天然放射性鉱物含有樹脂製可撓性シート、遠赤外線放射性繊維層に起因する微量放射線、遠赤外線等による治療効果が期待できる。また、被包部材は面ファスナーで身体部位に簡単に着脱できる。
【００１９】
被包部材は、身体部位に巻き付け可能な長さを有するシート部材からなり、該シート部材は、一面側シート部と、他面側シート部とを備え、一面側シート部の表面の一端部に面ファスナー部を備え、他面側シート部は、面ファスナー部のフック要素を係止できる起毛状の生地素材よりなるものであり、さらに、温熱治療具は、被包部材に連結可能な帯状連結部材を備えており、帯状連結部材は、一面側シート部と、他面側シート部とを備え、一面側シート部の表面の一端部に、被包部材の起毛状の生地素材を係止可能な面ファスナー部を備え、他面側シート部は、被包部材の面ファスナー部のフック要素を係止できる起毛状の生地素材よりなるものであるから、身体部位温熱治療具の被包部材に帯状連結部材を連結して腰に巻き付けでき、身体部位温熱治療具を利用して、腰の温熱治療ができる。
【００２０】
この考案の身体部位温熱治療具は、ヒーター部材に配置された温度検知部を備え、温度検知部により検知された温度検知信号を用いて、前記ヒーター線に供給される電力を制御するものであるので、被包部材内の温度を常時検知してヒーター線に供給される電力を制御することができる。
身体部位温熱治療具は、過剰加熱防止部を備え、身体部位温熱治療具は、過剰加熱防止部を用いて、ヒーター線に供給される電力の制御を行い、過剰加熱を防止するものであるので、身体部位温熱治療具の過剰加熱を防止することができる。
過剰加熱防止部は、ヒーター部材と天然放射性鉱物含有樹脂製可撓性シート間に配置され、かつ、天然放射性鉱物含有樹脂製可撓性シートは、ヒーター部材の一方の面を部分的に覆うように、かつ過剰加熱防止部の上面を覆うように、ヒーター部材の一方の面に貼着されており、過剰加熱防止部をヒーター部材に固定しているので、ヒーター部材の過剰加熱を防止することができる。
【００２１】
身体部位温熱治療具は、被包部材に固定されたコネクタ本体と、コネクタ本体に設けられかつヒーター線と接続された端子とを備えるコネクタを備えているので、コネクタ本体に適宜コントローラを接続して、温熱治療の温度調節を容易に行うことができる。
身体部位温熱治療具は、被包部材に固定されたコネクタ本体と、コネクタ本体に設けられかつヒーター線と接続された端子とを備えるコネクタを備え、身体部位温熱治療具は、ヒーター線に電力を供給するとともに供給電力を制御可能なコントローラを備え、コントローラは、コネクタと着脱自在に接続可能な、コントローラ側接続部を備えているので、コネクタ本体にコントローラ側接続部を接続して、コントローラによりヒーター部材の加熱の温度調節を容易に行うことができる。
身体部位温熱治療具は、温度検知部を備え、身体部位温熱治療具は、ヒーター線に電力を供給するとともに供給電力を制御可能なコントローラを備え、コントローラは、温度検知部により検知された温度検知信号を用いて、ヒーター線に供給される電力を制御するものであるので、ヒーター部材の加熱する温度調節を容易に制御できる。
【図面の簡単な説明】
【００２２】
【図１】図１はこの考案の身体部位温熱治療具の正面図である。
【図２】図２はこの考案の身体部位温熱治療具の一部破断背面図である。
【図３】図３はこの考案の身体部位温熱治療具の要部拡大背面図である。
【図４】図４はこの考案の身体部位温熱治療具の内部構成物を分解して示す側断面図である。
【図５】図５は帯状連結部材の正面図と側断面図である。
【図６】図６は帯状連結部材を連結した身体部位温熱治療具の正面図である。
【図７】図７は膝に巻き付けた状態の身体部位温熱治療具の斜視図である。
【図８】図８は帯状連結部材を連結し腰に巻き付けた状態の身体部位温熱治療具の斜視図である。
【考案を実施するための形態】
【００２３】
図１ないし図４において、この考案の身体部位温熱治療具Ａは、所定長のヒーター線１１を蛇行するように内部に収納した布帛製のヒーター部材１０と、ヒーター部材１０上に配置された天然放射性鉱物含有樹脂製可撓性シート１２と、天然放射性鉱物含有樹脂製可撓性シート１２が配置されたヒーター部材１０の一方の面側および／またはヒーター部材１０の他方の面側に設けられた遠赤外線放射性繊維層１３、１３とを備えた内部構成物Ｂと、内部構成物Ｂを被包し、かつ、身体部位Ｃに巻き付け可能とする帯状部を有する被包部材１とを備えることを特徴とする。
【００２４】
被包部材１は、身体部位に巻き付け可能な長さを有するシート部材２と被包シート部３とからなり、該シート部材２は、一面側シート部２ａと、他面側シート部２ｂとを備え、一面側シート部２ａの表面の一端部に面ファスナー部４を備え、他面側シート部２ｂは、面ファスナー部４のフック要素を係止できる起毛状の生地素材よりなるものである。
被包部材１は、身体の膝の回りの長さより長い長さであり、幅は膝部に被せる幅とするのが好ましい。被包部材１は、腕等の身体部位にも巻き付け可能な長さとする。
【００２５】
被包部材１は、シート部材２の一面側シート部２ａは、一側部Ｘと他側部Ｙに区分され、一側部Ｘの一端側に面ファスナー部４が備えられ、他側部Ｙ側に内部構成物Ｂが被包シート部３により被包される。シート部材２の一側部Ｘは膝、腕等身体部位Ｃに巻き付けるときに、被包部材１の他面側シート部２ｂの上に重ねて長さを調整する部分であり、面ファスナー部４を他方の面側シート部２ｂの起毛状の生地素材の適所に着脱可能に係止するものである。他側部Ｙは膝、腕等身体部位Ｃに巻き付ける長さが必要で、一側部Ｘの約３倍の長さとしてあるが、これに限定されるものではなく、適宜長さとできる。
被包部材１のシート部材２は、例えば一面側シート部にジャージ生地と他面側シート部に起毛状の生地素材であるパイル生地とを貼合わせた生地が用いられる。被包部材１は、一面側シート部２ａの一側部Ｘの一端に所定幅の面ファスナー部４が備えられ、面ファスナー部４を他面側シート部２ｂの起毛状の生地素材に着脱可能としてある。被包シート部３は、例えばウレタンフィルムが用いられる。
被包部材１の両端を着脱する手段として、実施例では、一面側シート部に面ファスナーを備えて他面側シート部の起毛状の生地素材に着脱可能としてあるが、この構造に限るものではなく、例えば、両端に面ファスナーを備えて着脱できるようにしてもよい。
【００２６】
図２ないし図４に示すように、内部構成物Ｂは、所定長のヒーター線１１を蛇行するように内部に収納した布帛製のヒーター部材１０と、ヒーター部材１０上に配置された天然放射性鉱物含有樹脂製可撓性シート１２と、天然放射性鉱物含有樹脂製可撓性シート１２が配置されたヒーター部材１０の一方の面側および／またはヒーター部材１０の他方の面側に設けられた遠赤外線放射性繊維層１３、１３とが備えられたものである。 内部構成物Ｂは、シート部材２と被包シート部３とにより被包されている。シート部材２と被包シート部３の周縁に縁布として、ニットテープ５がウエルダー加工、縫製されて内部構成物Ｂが被包される。被包部材１を構成するシート部材２と被包シート部３は耐熱性の材質のもので、柔軟性を有する。６は、綾テープで、シート部材２の一面側３の一側部Ｘと他側部Ｙとの境でシート部材２の一面側シート部材２ａと被包シート部３の端部とが縫製されている。
【００２７】
布帛製のヒーター部材１０は、所定長のヒーター線１１を蛇行するように内部に収納したものであり、ヒーター線１１がコネクタ本体１５に接続される。
ヒーター部材１０は、被包部材１を温熱できるようにシート部材２の一側部Ｘの端から他側部Ｙの端部までのほぼ全面にヒーター線１１が蛇行状に配線され、耐熱性布帛で覆われている。ヒーター部材１０のヒーター線１１は平行として蛇行状に配線され、各ヒーター線間が縫製により区画されている。布帛製のヒーター部材１０は膝、腕等身体部位に沿って曲げることが可能である。ヒーター部材１０のヒーター線１１はコネクタ本体１５に接続されている。ヒーター部材１０には、温度検知部１４が備えられる。温度検知部１４としては、例えば、サーミスタ、熱電対などが用いられる。
【００２８】
天然放射性鉱物含有樹脂製可撓性シート１２は、天然放射性鉱物もしくは天然放射性鉱物含有セラミックスの粉末を含有する熱可塑性軟質樹脂により形成された可撓性シートであり、かつ、天然放射性鉱物含有樹脂製可撓性シート１２は、ヒーター部材１０の一方の面に貼着されている。
身体部位温熱治療具Ａは、複数の前記天然放射性鉱物含有樹脂製可撓性シート１２を備え、かつ、複数の前記天然放射性鉱物含有樹脂製可撓性シート１２は、所定長離間するように、ヒーター部材１０の一方の面に貼着されている。
天然放射性鉱物含有樹脂製可撓性シート１２は、例えば、四角形状シートとしてある。天然放射性鉱物含有樹脂製可撓性シート１２は、可撓性を有し、膝、腕、腰等身体部位の曲面に沿って折り曲げできるようにする。実施例の身体部位温熱治療具は２枚の天然放射性鉱物含有樹脂製可撓性シート１２がヒーター部材１０の上に所定長離間して１列に配置されている。実施例では、天然放射性鉱物含有樹脂製可撓性シートの形状は四角形としてあるが、これに限られるものではなく、円形など適宜形状とできる。
【００２９】
天然放射性鉱物含有樹脂製可撓性シート１２は、ヒーター部材１０の一方の面を部分的に覆うように、ヒーター部材１０の一方の面に貼着されており、かつ、身体部位温熱治療具は、ヒーター部材１０の一方の面に可撓性シート不存在部Ｄを有しており、ヒーター部材１０の一方の面の可撓性シート不存在部Ｄは、遠赤外線放射性繊維層１３により覆われている。
被包部材１は、長手方向の所定位置に、天然放射性鉱物含有樹脂製可撓性シート１２、１２間に天然放射性鉱物含有樹脂製可撓性シート不存在領域Ｄを備え、天然放射性鉱物含有樹脂製可撓性シート不存在領域Ｄにおいて折り曲げ可能とされている。
従って、この天然放射性鉱物含有樹脂製可撓性シート不存在領域Ｄにおいて折り曲げ可能としたので、身体部位温熱治療具を膝、腕等身体部位Ｃの回りに巻き付けるのを容易にできる。
【００３０】
本考案の身体部位温熱治療具Ａに使用される天然放射性鉱物含有樹脂製可撓性シート１２が含有する天然放射性鉱物を含有する粉末は、微弱で微量の放射線を発生するものである。天然放射性鉱物としては、例えば、北投石、ニンギョウ石、センウラン鉱、カツレン石、トリウム石、モナザイト、サマルスキー石、ヘエルグリン石、ゼノタイム、トロゴム石、変種ジルコン、パイロクロワからなる群より選択される少なくとも１種のものが好適である。
また、天然放射性鉱物含有樹脂製可撓性シート１２の基材となる可撓性樹脂としては、軟質ポリ塩化ビニル、ポリ酢酸ビニル、ポリエステル（例えば、ポリエチレンテレフタレート、ポリブチレンテレフタレート）、ポリアミド、ポリウレタン（ポリエステル系ポリウレタン、ポリエーテル系ポリウレタン）、ポリオレフィン（ポリエチレン、ポリプロピレン、エチレン−プロピレンコポリマー、エチレン−酢酸ビニル共重合体）などが使用できる。
【００３１】
天然放射性鉱物含有樹脂製可撓性シート１２は、微弱で微量の放射線を持続的に放出する。この放射線は微弱で微量で、人体に悪影響を及ぼすことはなく、健康増進をさせるものといわれている。これが、ホルミシス効果である。ホルミシス効果は、放射線は微量であれば、人体の免疫力を高め、かつ細胞の働きを活発として新陳代謝を促進して、健康増進を図る。また、放射線の作用でマイナスイオンを発生させ、体内に吸い込ませて、自律神経をやわらげる働きをさせる効果がある。
【００３２】
遠赤外線放射性繊維層１３は、前記天然放射性鉱物含有樹脂製可撓性シート１２を覆うとともに、前記天然放射性鉱物含有樹脂製可撓性シート１２が覆わない部分の前記ヒーター部材１０の一方の面側を覆うように設けられている。
遠赤外線放射性繊維層１３は、前記天然放射性鉱物含有樹脂製可撓性シート１２が配置されたヒーター部材１０の一方の面側および前記ヒーター部材１０の他方の面側に設けられ、ヒーター部材１０のほぼ全体を被包している。
【００３３】
遠赤外線放射性繊維層１３は、遠赤外線を放射するセラミックの粉末を練り込んだ繊維（例えば、綿、麻などの天然繊維、ポリエステルなどの合成繊維）により形成された綿状、布帛状の繊維層が好適である。
遠赤外線放射性繊維層１３、１３により、天然放射性鉱物含有樹脂製可撓性シート１２が配置されたヒーター部材１０のほぼ全体が被包されることにより、ヒーター部材１０の加熱により天然放射性鉱物含有樹脂製可撓性シート１２が加熱され、かつそれを覆う遠赤外線放射性繊維層１３、１３が加熱されることにより遠赤外線と微量の放射線を発生させる。
【００３４】
身体部位温熱治療具Ａは、ヒーター部材１０に配置された温度検知部１４を備え、温度検知部１４により検知された温度検知信号を用いて、ヒーター線１１に供給される電力を制御するものである。
【００３５】
身体部位温熱治療具Ａは、過剰加熱防止部１６を備え、該過剰加熱防止部１６を用いて、ヒーター線１１に供給される電力の制御を行い、過剰加熱を防止するものである。
過剰加熱防止部１６は、ヒーター部材１０と天然放射性鉱物含有樹脂製可撓性シート１２間に配置され、かつ、天然放射性鉱物含有樹脂製可撓性シート１２は、ヒーター部材１０の一方の面を部分的に覆うように、かつ過剰加熱防止部１６の上面を覆うように、ヒーター部材１０の一方の面に貼着されており、過剰加熱防止部１６をヒーター部材１０に固定しているものである。
この実施例の身体部位温熱治療具Ａでは、天然放射性鉱物含有樹脂製可撓性シート１２は、ヒーター部材１０の一方の面を部分的に覆うように、ヒーター部材１０の一方の面に貼着されており、ヒーター部材１０と天然放射性鉱物含有樹脂製可撓性シート１２と間に配置された過剰加熱防止部１６を固定しており、過剰加熱防止部の移動を防止している。過剰加熱防止部１６としては、例えば、サーモスタットが用いられる。
【００３６】
身体部位温熱治療具Ａは、被包部材１に固定されたコネクタ本体１５と、コネクタ本体１５に設けられかつヒーター線と接続された端子とを備えるコネクタ１５ａを備えている。
被包部材１のシート部材２の他面側シート部２ｂには、ほぼ中央部にタグ１７が備えられる。タグ１７はシート部材２の上下のニットテープ５に縫製されている。そして、タグ１７には、例えば広告、マーク、使用法等が表示される。
【００３７】
身体部位温熱治療具Ａは、ヒーター線に電力を供給するとともに供給電力を制御可能なコントローラ２５を備えている。
身体部位温熱治療具Ａは、被包部材１に固定されたコネクタ本体１５と、コネクタ本体１５に設けられかつヒーター線と接続された端子とを備えるコネクタ１５ａを備え、身体部位温熱治療具Ａは、ヒーター線に電力を供給するとともに供給電力を制御可能なコントローラ２５を備え、コントローラ２５は、コネクタ１５ａと着脱自在に接続可能な、コントローラ側接続部２６を備えている。
身体部位温熱治療具Ａは、温度検知部１４を備え、かつヒーター線１１に電力を供給するとともに供給電力を制御可能なコントローラ２５を備え、コントローラ２５は、温度検知部１４により検知された温度検知信号を用いて、ヒーター線１１に供給される電力を制御するものである。この身体部位温熱治療具Ａは家庭にて使用できるように運搬可能である。
【００３８】
図１において、コントローラ２５は、電源＆温度調整つまみ２７、電源ランプ２８等が備えられている。２９は電源プラグ、３０は電源コード、３１は中間コードである。
コントローラ２５の電源を入れて、温度調節つまみ２７でヒーター線の温度調節を行い、天然放射性鉱物含有樹脂製可撓性シート１２を加熱して天然放射性鉱物含有樹脂製可撓性シート１２、遠赤外線放射性繊維層１３、１３より放射線、マイナスイオンや遠赤外線を発生させて体を暖め、発汗作用を促進させるなどの改善を図る。
【００３９】
図７において、この考案の身体部位温熱治療具Ａを身体部位の膝、腕等身体部位Ｃに使用する場合を説明する。この考案の身体部位温熱治療具Ａのヒーター部材１０上に配置された複数個の天然放射性鉱物含有天然放射性鉱物含有樹脂製可撓性シート１２と、遠赤外線放射性繊維層１３からなる内部構成物Ｂを備えた被包部材１を膝、腕等身体部位Ｃに当て面ファスナー部４を被包部材１の他面側シート部の起毛状の生地素材に係止する。そして、被包部材１に備えたコネクタ本体１５にコントローラ２５のコントローラ側接続部２６を差し込み、かつコントローラ２５のプラグを電源に差込み、電源＆温度調整つまみ２７を高、低の位置にすると、電源ランプ２８が点灯し、ヒーター部材１０が加熱される。ヒーター部材１０により天然放射性鉱物含有樹脂製可撓性シート１２、遠赤外線放射性繊維層１３が加熱され、天然放射性鉱物含有樹脂製可撓性シート１２、遠赤外線放射性繊維層１３から放射線、遠赤外線、マイナスイオン等が発生し、かつ天然放射性鉱物含有樹脂製可撓性シートの熱による刺激で被包部材１を巻き付けた膝、腕等身体部位Ｃの深部まで均等に温め、発汗を促進して血行の改善を図り、温熱治療を行うことができる。
身体部位温熱治療具の被包部材は、柔軟性を有し、人の膝、腕等の身体部位に巻き付けて治療するときに身体部位に天然放射性鉱物含有樹脂製可撓性シートがフイットして違和感がなく長時間治療でき、放射線による刺激、マイナスイオンの作用で、人体の細胞の働きを高め、免疫力、自然治癒力を高め、遠赤外線による熱刺激により人体の血行等をよくして治療効果を高めることができる。そして、この身体部位温熱治療具は運搬可能で、家庭にて使用できる。
身体部位温熱治療具は、両膝に別々に装着するために一対をセットとして提供して、両膝の温熱治療を行うことができる。
【実施例】
【００４０】
実施例の身体部位温熱治療具の被包部材１は、長さ約６０ｃｍ、幅約１５ｃｍ、シート部２ａの一側部Ｘの長さは約２０ｃｍ、他側部Ｙの長さは４６ｃｍとしてある。帯状連結部材２０は、長さ約６０ｃｍ、幅約１５ｃｍとしてある。天然放射性鉱物含有樹脂製可撓性シート１２は、一辺が約７ｃｍのほぼ正方形としたものを使用している。
図４に示す被包部材１の構成材料
被包シート部３（ウレタンフィルム）
遠赤外線放射性繊維層１３（パンチ綿：２５０ｇ／ｍ２：ワッペン付）
天然放射性鉱物含有樹脂製可撓性シート１２
過剰加熱防止部１６（サーモスタット）
ヒーター部材１０（ワッペン付）
温度検知部１４（サーミスタ）
遠赤外線放射性繊維層１３（パンチ綿：２５０ｇ／ｍ２）
シート部材２（ネオプレーンゴム）
面ファスナー部４
綾テープ６
図５に示す帯状連結部材２０の構成材料
シート部材２１（ネオプレーンゴム）
面ファスナー部２２
【００４１】
実施例の被包部材１のシート部材２は、例えば一面側シート部２ａがジャージ生地、他面側シート部２ｂが起毛状生地素材のパイル生地としたものであり、一面側シート部２ａのジャージ生地の一端に所定幅の面ファスナー部４が備えられている。
被包部材１は、シート部材２の上に、遠赤外線放射性繊維層１３、該遠赤外線放射性繊維層１３の上面にヒーター部材１０、該ヒーター部材１０の上に天然放射性鉱物含有樹脂製可撓性シート１２、該天然放射性鉱物含有樹脂製可撓性シート１２の上面に遠赤外線放射性繊維層１３を備えた内部構成物Ｂを備え、該内部構成物Ｂが被包シート部３で被包され、外周にニットテープ５を当てウエルダー加工或いは縫製加工されている。そして、被包部材１のシート部３の一側部Ｘと他側部Ｙとの境には綾テープ６が縫製され、かつシート部３の一側部Ｘの一端に所定幅の面ファスナー部４が備えられて縫製されている。
【００４２】
図５において、帯状連結部材２０は、身体部位に巻き付け可能な長さを有するシート部材２１と、該シート部材２１の一端に所定幅の面ファスナー２２が縫製されたものである。シート部材２１は、例えば一面側シート部２１ａがジャージ生地、他面側シート部２１ｂが起毛状の生地素材のパイル生地としたものであり、一面側シート部２１ａのジャージ生地の一端に所定幅の面ファスナー２２が縫製されている。
【００４３】
図６に示す別の実施例では、被包部材１は、身体部位に巻き付け可能な長さを有するシート部材２からなり、シート部材２は、一面側シート部２ａと、他面側シート部２ｂとを備え、前記一面側シート部２ａの表面の一端部に面ファスナー部４を備え、他面側シート部２ｂは、面ファスナー部４のフック要素を係止できる起毛状の生地素材よりなるものであり、さらに、温熱治療具は、被包部材１に連結可能な帯状連結部材２０を備えており、帯状連結部材２０は、一面側シート部２１ａと、他面側シート部２１ｂとを備え、一面側シート部２１ａの表面の一端部に、被包部材１の起毛状の生地素材を係止可能な面ファスナー部２２を備え、他面側シート部２１ｂは、被包部材１の面ファスナー部４のフック要素を係止できる起毛状の生地素材よりなるものである。腰用としては、身体部位温熱治療具Ａと、帯状連結部材２０を少なくとも１枚づつ用意して、腰の温熱治療を行うことができる。
【００４４】
図８において、腰に巻き付ける場合は、身体部位温熱治療具Ａだけでは短いために装着できないので、身体部位温熱治療具Ａに帯状連結部材２０に連結して使用する。すなわち、被包部材１の他面側シート部２ｂの一端の起毛状の生地素材に帯状連結部材２０の面ファスナー部２２をフック要素で係止し、被包部材１を人の腰Ｃに巻き付け、被包部材１の面ファスナー部４を帯状連結部材２０の他面側シート部２１ｂの一端の起毛状の生地素材にフック要素で係止する。そして、実施例と同様に、被包部材１に備えたコネクタ本体１５にコントローラ２５のコントローラ側接続部２６を差し込み、かつコントローラ２５のプラグを電源に差込み、電源＆温度調整つまみ２７を高、低の位置にすると、電源ランプ２８が点灯し、ヒーター部材１０が加熱されて身体部位温熱治療具が温まる。電源を入れてから約６０分後に電源ランプ２８が点滅し、ヒーター部材への通電が停止する。
ヒーター部材１０により天然放射性鉱物含有樹脂製可撓性シート１２、遠赤外線放射性繊維層１３が加熱されて、天然放射性鉱物含有樹脂製可撓性シート１２、遠赤外線放射性繊維層１３から放射線、遠赤外線、マイナスイオン等が発生し、かつ天然放射性鉱物含有樹脂製可撓性シートの熱による刺激で被包部材１を巻き付けた身体部位Ｃの腰の深部まで均等に温め、発汗を促進して血行の改善を図り、温熱治療を行うことができる。そして、腰に天然放射性鉱物含有樹脂製可撓性シートがフイットして違和感がなく長時間治療でき、放射線による刺激、マイナスイオンの作用で、人体の細胞の働きを高め、免疫力、自然治癒力を高め、遠赤外線による熱刺激により人体の血行等をよくして治療効果を高めることができる。そして、この身体部位温熱治療具は運搬可能で、家庭にて使用できる。
【００４５】
この考案は上記実施形態に限定されるものではなく、この考案の要旨を逸脱しない範囲で、種々の形態を実施しうるものである。
【符号の説明】
【００４６】
１  被包部材
２  シート部材
２ａ  一面側シート部
２ｂ  他面側シート部
Ｘ  一側部
Ｙ  他側部
３  被包シート部
４  面ファスナー部
１０  ヒーター部材
１１  ヒーター線
１２  天然放射性鉱物含有樹脂製可撓性シート
１３  遠赤外線放射性繊維層
１４  温度検知部
１５  コネクタ本体
１６  過剰加熱防止部
２０  帯状連結部材
２１  シート部材
２１ａ  一面側シート部
２１ｂ  他面側シート部
２２  面ファスナー部
２５  コントローラ
２６  コントローラ側接続部
Ａ  身体部位温熱治療具
Ｂ  内部構成物
Ｃ  身体部位
Ｄ  天然放射性鉱物含有樹脂製可撓性シート不存在領域
【図１】
0003165442.tif 000003
【図２】
0003165442.tif 000004
【図３】
0003165442.tif 000005
【図４】
0003165442.tif 000006
【図５】
0003165442.tif 000007
【図６】
0003165442.tif 000008
【図７】
0003165442.tif 000009
【図８】
0003165442.tif 000010